(57)【要約】      （修正有）【課題】手を拭いたり汗を拭いたりした後の水分や汚れを吸収したハンカチを、洋服のポケットや鞄内部に収納しても、洋服や鞄を濡らしたり汚したりする事がなく、更に、携帯時コンパクトな形状であるにもかかわらず、使用時は広い面積の吸水性面を有する大変衛生的でスマートなハンカチ具の提供。【解決手段】ほぼ中央より二つ折り可能に構成された外側面２が防水性素材からなる一定の形状保持性を有した表面カバー１と、前記表面カバー１が二つ折りされたときに内側面３となる位置に設けられた吸水性素材からなる第１吸水性面材５と、前記第１吸水性面材５上の、前記中央の二つ折り部に形成された両側面が吸水性素材からなる第２吸水性面材８とを備え、前記表面カバー１を二つ折りにした状態で、前記第２吸水性面材８が前記表面カバー１内に収容される。【選択図】図１
2014173216.tif 000002
【特許請求の範囲】
【請求項１】
ほぼ中央より二つ折り可能に構成された外側面が防水性素材からなる一定の形状保持性を
有した表面カバーと、前記表面カバーが二つ折りされたときに内側面となる位置に設けら
れた吸水性素材からなる第1吸水性面材と、前記第１吸水性面材上の、前記中央の二つ折り部に形成された両側面が吸水性素材からなる第２吸水性面材とを備え、前記表面カバーを二つ折りにした状態で、前記第２吸水性面材が前記表面カバー内に収容される事を特徴とするハンカチ具。
【請求項２】
前記第２吸水性面材を、複数形成した事を特徴とする請求項１記載のハンカチ具。
【請求項３】
前記第２吸水性面材は、袋体に形成すると共に、該袋体の一端に開口部を形成した事を特
徴とする請求項１乃至２のいずれかに記載のハンカチ具。
【請求項４】
前記第２吸水性面材に形成された袋体開口部に、閉口手段を設けた事を特徴とする請求項
３記載のハンカチ具。
【請求項５】
前記第２吸水性面材の袋体内側面を防水性素材にて形成した事を特徴とする請求項３乃至
４のいずれかに記載のハンカチ具。
【請求項６】
前記表面カバーの内側面と、該表面カバーの内側面と対向する第１吸水性面材のそれぞれ
に、複数の留め具を備え、前記表面カバーと前記第１吸水性面材を着脱自在とした事を特
徴とする請求項１乃至５のいずれかに記載のハンカチ具。
【発明の詳細な説明】
【技術分野】
【０００１】
本発明は、防水収納カバー内に第１及び第２吸水性面材を備えたハンカチに関する。
【背景技術】
【０００２】
手を拭いたり汗を拭く場合には従来よりハンカチが使用されている。このようなハンカチ
は、使用後洋服のポケット、又は鞄などに直接収納されている。その為、水分や汚れを吸
収したハンカチが直接ポケットや鞄内部に付着し、大変不衛生であった。
それら問題を解消する方法として、ハンカチの裏面を防水素材にし、防水素材面を外側に
して折り畳んで洋服のポケットや鞄に収納したり、防水性素材からなるケースに折り畳ん
で収納するという方法しかなかった。又、本発明とよく似た構成としてノート型クロスが
提案されている。しかしながらノート型クロスは、単に複数の布を重ね合わせて中央を縫
いつけたもので、カバーとなる防水性素材面が形成されておらず、その為洋服のポケット
や鞄内部に収納した時、それらに水分や汚れが付着してしまい、本発明の使用後の水分や
汚れを吸収したハンカチを収納した時、洋服のポケットや鞄内部を濡らしたり汚したりし
ないという目的を達成する事が出来ない。
【先行技術文献】
【特許文献】
【０００３】
【特許文献１】登録実用新案３０３３４７３号公報
【発明の概要】
【発明が解決しようとする課題】
【０００４】
本発明は、手を拭いたり汗を拭いたりした後の水分や汚れを吸収したハンカチを、洋服の
ポケットや鞄内部に収納しても、洋服や鞄を濡らしたり汚したりする事がなく、更に、携
帯時コンパクトな形状であるにもかかわらず、使用時は広い面積の吸水性面を有する大変
衛生的でスマートなハンカチ具の提供を目的とする。
【課題を解決するための手段】
【０００５】
本発明の請求項１のハンカチ具は、ほぼ中央より二つ折り可能に構成された外側面が防水
性素材からなる一定の形状保持性を有した表面カバーと、前記表面カバーが二つ折りされ
たときに内側面となる位置に設けられた吸水性素材からなる第１吸水性面材と、前記第１吸水性面材上の、前記中央の二つ折り部に形成された両側面が吸水性素材からなる第2吸水性面材とを備え、前記表面カバーを二つ折りにした状態で、前記第２吸水性面材が前記表面カバー内に収容される事を特徴とする。
【０００６】
本発明の請求項２のハンカチ具は、前記第２吸水性面材を、複数形成した事を特徴とする。
【０００７】
本発明の請求項３のハンカチ具は、前記第２吸水性面材は、袋体に形成すると共に、該袋
体の一端に開口部を形成した事を特徴とする。
【０００８】
本発明の請求項４のハンカチ具は、前記第２吸水性面材に形成された袋体開口部に、閉口
手段を設けた事を特徴とする。
【０００９】
本発明の請求項５のハンカチ具は、前記第２吸水性面材の袋体内側面を防水性素材にて形
成した事を特徴とする。
【００１０】
本発明の請求項６のハンカチ具は、前記表面カバーの内側面と、該表面カバーの内側面と
対向する第１吸水性面材のそれぞれに、複数の留め具を備え、前記表面カバーと前記第１
吸水性面材を着脱自在とした事を特徴とする。
【発明の効果】
【００１１】
請求項１記載のハンカチ具は、ほぼ中央より二つ折り可能に構成された外側面が防水性素
材からなる表面カバーを設けた事により、該表面カバーを二つ折りして洋服のポケットや
鞄に収納した時、該表面カバーの内側面に設けられた第１及び第２吸水性面材の水分や汚
れを外部と遮断する効果がある。よって洋服のポケットや鞄を濡らしたりする事がなく大
変衛生的である。
【００１２】
又、前記表面カバーを一定の形状保持性を有した素材で形成した事によって、洋服のポケ
ットや鞄に出し入れし易いと共に、手帳や財布の様にスマートで美しい形状を維持出来、
身だしなみに気を配るビジネスマンやOLに最適である。
【００１３】
更に、ハンカチ具使用時は、前記表面カバーを収納時とは反対側に二つ折りして重ね合わ
せると、防水性素材からなる該表面カバーが裏側に隠れ、該表面カバーの内側面に設けら
れた、吸水性素材からなる前記第１吸水性面材と、両側面が吸水性素材からなる前記第２
吸水性面材が、ほぼ直線状となってハンカチ具の両側面に現れるので、両側面がハンカチ
として使用出来る。即ちハンカチとして使用する時、前記第1、第2吸水面材の合計面積が、該表面カバー面積のほぼ２倍となる。よって収納時はコンパクトでありながら、使用時は広い面積で手を拭いたり、汗を拭いたり出来るという大変大きな効果がある。単に一枚のハンカチの一側面を防水性素材にして、他側面を吸水性素材としたハンカチでは、防水性素材の面積と吸水性素材の面積がほぼ１対１となり、本発明のハンカチ具の様にそれらがほぼ1対2となる様な効果は得られない。
【００１４】
又、ハンカチ具で手を拭いたり汗を拭いたりした後、前期第２吸水性面材をピンと伸ばし、
前記表面カバーを二つ折りにするだけで、濡れたハンカチが簡単にカバー内に収納され、洋服や鞄を濡らさない。
【００１５】
請求項２のハンカチ具は、前記第１吸水性面材上に前記第２吸水性面材を複数形成した事
により、水分や汚れを吸収した古い第２吸水性面材をめくり、新しい未使用の第２吸水性
面材を表面に出して使用出来るので、頻繁にハンカチを使用する人に大変便利である。
【００１６】
請求項３のハンカチ具は、前記第２吸水性面材を袋体に形成すると共に、該袋体の一端に
開口部を形成した事により、女性ならば口紅や、人に見られたくない生理用ナプキンなど
が収納出来、大変便利である。
【００１７】
請求項４のハンカチ具は、前記第２吸水性面材に形成された袋体開口部に閉口手段を設け
たもので、これにより中の小物類の落下を防ぐ。又、該閉口手段を該第２吸水性面材の下
端、上端、横端等の袋体一端に形成した事により、手を拭いたり顔の汗を拭く時、手や顔
を傷つけない。
【００１８】
請求項５のハンカチ具は、前記袋体内側面を防水性素材にて形成した事により、冬は該袋
体に、水に弱い使い捨て懐炉を入れる事が出来るので、ハンカチ具をポケットに収納した
時身体が温まるだけでなく、手を拭く時も大変暖かい。ハンカチ具全体が暖かくなると、
吸収した水分も乾き易くなるので大変便利である。又、夏は保冷剤を入れても、保冷剤の
水滴が外部に付着せず吸水性面材が濡れない。更に、手を拭く時だけでなく、顔の汗を拭
く時もひんやりして大変気持ちが良い。
【００１９】
請求項６のハンカチ具は、前記表面カバーの内側面と、該表面カバーの内側面と対向する
前記第１吸水性面材のそれぞれに、複数の留め具を備え、該表面カバーと該第１吸水性面
材を着脱自在とした事により、汚れた該第１及び第２吸水性面材のみ取り外して洗濯し、
該表面カバーは皮等の洗濯不可の素材でも使用出来るので、大変高級で美しいハンカチ具
を提供する事が出来る。
【図面の簡単な説明】
【００２０】
【図１】実施例１の斜視図である。
【図２】実施例２の斜視図である。
【図３】実施例３の斜視図である。
【図４】実施例４の斜視図である。
【図５】実施例５の斜視図である。
【図６】実施例６の斜視図である。
【図７】実施例７の斜視図である。
【図８】実施例８の表面カバー内側面の図と第１吸水性面材害側面の図である。
【図９】実施例９を二つ折りにした状態の正面図である。
【図１０】実施例１の実際の使用例である。
【発明を実施するための形態】
【００２１】
最初に最も基本的な実施例１について説明する。
図１のハンカチ具の表面カバー１の外側面２は、防水性素材にて形成されており、ここで
いう防水性素材とは、合成樹脂、合成繊維、及び防水加工、撥水加工等が施された布、防
水透湿素材等であるが、水分を通しにくく洗濯が可能な素材であればこれに限定するもの
ではない。防水性と共に通気性を有する素材を用いれば空気は通し、水分を適度に放
出するので乾燥し易くなると共に、洗濯時も汚れが落ち易く、乾き易い。
更に、該表面カバー１は一定の形状保持性を有する材質で形成されており、ここでいう一
定の形状保持性とは、第１吸水性面材５、及び第２吸水性面材８より硬質素材で、皺にな
りにくい材質であれば良い。これによりハンカチ具の形状を維持出来ると共に、手帳や財
布の様にスマートで美しいハンカチ具が提供出来る。
【００２２】
図１のハンカチ具の第１吸水性面材５、及び第２吸水性面材８は、吸水性素材にて形成さ
れており、ここでいう吸水性素材とは布、合成繊維等とするが、水分を吸収し、且つ洗濯
に耐えるものであればこれに限定するものではない。
【００２３】
図１のハンカチ具は、防水性素材からなる表面カバー１の内側面３と、表面カバー１の内
側面３に設けられた第１吸水性面材５の外側面７が熱融着、縫着等によって表裏一体に形
成されている。
【００２４】
図１のハンカチ具の第２吸水性面材８は、第１吸水性面材５の内側面６上の、ほぼ中央の
二つ折り部９に形成して設けられている。
【００２５】
図１のハンカチ具の第１吸水性面材５の外周は、表面カバー１の外周より小さく形成した
事と、第２吸水性面材８を、第１吸水性面材５のほぼ半分以下の面積に形成する事によっ
て、表面カバー１を二つ折りした時、第１吸水性面材５、及び第２の吸水性面材８がはみ
出さず表面カバー１内に収容出来る。    
【００２６】
図１のハンカチ具は、一枚の吸水性素材からなる第１吸水性面材５のほぼ中央を突出させ
て第２吸水性面材８を形成したもので、これにより安価で製造も簡単に出来る。
【００２７】
次に実施例２について図２を用いて説明する。図２のハンカチ具は、第２吸水性面材８を、
第１吸水性面材５とは異なる他の吸水性素材にて形成し、第２吸水性面材８の一端縁を
第１吸水性面材５上の二つ折り部９に縫着したものである。又、複数箇所釦等で留めつけ
ても良い。
【００２８】
次に実施例３について図３を用いて説明する。図３のハンカチ具は第２吸水性面材８を動
物やキャラクターの形にしたもので、これにより子供にも喜ばれるハンカチ具が提供出来
る。
【００２９】
次に実施例４について図４を用いて説明する。図４のハンカチ具は、第１吸水性面材５上
のほぼ中央の二つ折り部９に、第２吸水性面材８を複数設けたもので、水分や汚れを吸収
した古い第２吸水性面材８をめくると、次の新しい第２吸水性面材８が出てきて手が拭け
る。複数の第２吸水性面材８は、第１吸水性面材５を突出させて形成しても良いし、他の
吸水性素材を第１吸水性面材５上に縫着しても良い。
【００３０】
次に実施例５について図５を用いて説明する。図５のハンカチ具は、第２吸水性面材８を
袋体に形成すると共に、袋体の一端に開口部１０を形成したもので、開口部１０を第１吸
水性面材５の内側面６二つ折り部９近傍に設けた事により、留め具を必要としない例であ
る。
【００３１】
次に実施例６について図６を用いて説明する。図６のハンカチ具は、袋体に形成した第２
吸水性面材８の開口部１０にチャック、釦、板バネ、面ファスナー等の閉口手段１１を設
けたもので、これにより中の小物類の落下を防ぐ。又、袋体開口部１０と閉口手段１１を
第２吸水性面材８の上端、下端、横端と袋体の一端とした事で、手や顔に当たり難くして
いる。
【００３２】
次に実施例７について図７を用いて説明する。図７のハンカチ具は、複数の第２吸水性面
材８の一つを袋体に形成し、袋体内側面を防水性素材１２にして、懐炉や保冷剤１３を入
れた図である。
【００３３】
次に実施例８について図８を用いて説明する。図８のハンカチ具は、表面カバー１の内側
面３の外周近傍と、表面カバー１の内側面３と対向する第１吸水性面材５の外側面７の外
周近傍に、釦、フォック、面ファスナー等の留め具１４を設けて、表面カバー１と第１吸
水性面材５を着脱自在に出来る様にしたものである。
【００３４】
次に実施例９について図９を用いて説明する。図９のハンカチ具は、携帯時の形態を示し
たもので、表面カバー１の外側面２の両端に、釦、フォック、面ファスナー等の留め具１
５を設けて、表面カバー１を二つ折りして留めたものである。これにより表面カバー１が
開かず固定され、表面カバー１の内側面３に設けられた第１及吸水性面材５、及び第２吸
水性面材８の水分や汚れが外部に付着するのを防ぐ。又、表面カバー１の内側面３の両端
に留め具を設けても良い。
【００３５】
次に実施例１のハンカチ具の使用状態を図１０を用いて説明する。図１０はハンカチ具の
実施例１の実際の使用例で、手洗いの後手を拭く時、表面カバー１を納納時とは反対側に
二つ折りして重ね合わせる事によって、防水性素材からなる表面カバー１の外側面２が裏
側に隠れ、吸水性素材からなる第１吸水性面材５の内側面６と第２吸水性面材８が直線状
となってハンカチ具両側に現れる。よって両側面がハンカチとして使用出来る。又使用後は、表面カバー１を収納時の方向へ折返し、第２吸水性面材８をピンと伸ばして閉じるだけで完全に表面カバー内に収納される。
【００３６】
又、表面カバー１の内側面３と、表面カバー１の内側面３と対向する第１吸水性面材５の外側面７とで袋体を形成し、袋体の一端に開口部１０を設けて、該開口部にチャック、釦、板バネ、面ファスナー等の閉口手段を設けておくと更に収納部が増える。
【符号の説明】
【００３７】
１、表面カバー
２、表面カバー外側面
３、表面カバー内側面
４、表面カバー二つ折り部
５、第１吸水性面材
６、第１吸水性面材内側面
７、第１吸水性面材外側面
８、第２吸水性面材
９、第１吸水性面材二つ折り部
１０、第２吸水性面材袋体開口部
１１、閉口手段
１２、防水性素材
１３、懐炉又は保冷剤
１４、留め具
１５、留め具
１６、手
【図１】
2014173216.tif 000003
【図２】
2014173216.tif 000004
【図３】
2014173216.tif 000005
【図４】
2014173216.tif 000006
【図５】
2014173216.tif 000007
【図６】
2014173216.tif 000008
【図７】
2014173216.tif 000009
【図８】
2014173216.tif 000010
【図９】
2014173216.tif 000011
【図１０】
2014173216.tif 000012